(57)【特許請求の範囲】
【請求項１】
ケースと、該ケース内に組み込まれ基地局と移動局の無線機との間で送受信する無線部と、該ケース内に組み込まれ電力を蓄えるためのバッテリと該無線部に駆動電力を供給し該バッテリに充電電力を供給するＤＣバッテリコントローラと商用電源の交流電力を直流電力に変換して該ＤＣバッテリコントローラに供給するＡＣ／ＤＣコンバータと該商用電源から交流電力を該ＡＣ／ＤＣコンバータに入力するＡＣ入力ケーブルとからなる基地局電源装置と、を有する移動容易な業務用非常時対応無線装置において、
前記ケース内に、前記無線部からの音声信号の出力を増幅して外部スピーカを動作させるための、前記ＤＣバッテリコントローラから供給される電力で駆動される外部スピーカ駆動アンプ部を有し、該アンプ部が通話内容を外部の多数の人に伝達できる程度に増幅するものであることを特徴とする移動容易な業務用非常時対応無線装置。
【請求項２】
ケースと、該ケース内に組み込まれ基地局と移動局の無線機との間で送受信する無線部と、該ケース内に組み込まれ電力を蓄えるためのバッテリと該無線部に駆動電力を供給し該バッテリに充電電力を供給するＤＣバッテリコントローラと商用電源の交流電力を直流電力に変換して該ＤＣバッテリコントローラに供給するＡＣ／ＤＣコンバータと該商用電源から交流電力を該ＡＣ／ＤＣコンバータに入力するＡＣ入力ケーブルとからなる基地局電源装置と、を有する移動容易な業務用非常時対応無線装置において、
前記ケース内に、前記無線部からの音声信号の出力を増幅して外部スピーカを動作させるための、前記ＤＣバッテリコントローラから供給される電力で駆動される外部スピーカ駆動アンプ部を有し、該アンプ部が通話内容を外部の多数の人に伝達できる程度に増幅するものであり、
前記ケース内に、前記外部スピーカ駆動アンプ部への音声信号入力をＯＮ／ＯＦＦするアンプ入力制御回路、又は、フラッシングライト若しくはブザーの外部制御機器の動作を制御する外部制御回路を有することを特徴とする移動容易な業務用非常時対応無線装置。
【発明の詳細な説明】
【技術分野】
【０００１】
本発明は、基地局と移動局との間で通信を行う業務用無線の無線機を備えた基地局電源装置に関し、特に、基地局非常電源装置に関する。
【背景技術】
【０００２】
本発明が係わる業務用無線の一例を図４（ａ）、（ｂ）にイメージ図で示す。図４（ａ）の無線システムでは基地局５１とその基地局のエリア内のポータブル無線機５２ａや車載無線機５２ｂが使用される移動局５２との間で通信が行われる。また、図４（ａ）のシステムに比較して、より広範囲のエリアが対象の場合は図４（ｂ）のように高所に設置された制御局６０を通して基地局５１と移動局５２との通信を行う。さらに、各地の制御局（例えば、東京−静岡−名古屋…）をネットワーク化することで全国エリアの通信が可能となる。この基地局５１は、非常電源装置１０と非常電源装置１０に接続されたマイク／スピーカ１８及び送受信アンテナ５１ｂとから構成されている。
【０００３】
従来の基地局非常電源装置の構成を図３に示す。基地局非常電源装置１０は、商用電源であるＡＣ１００Ｖが停電等で供給されなくなった非常時でも、基地局としての機能を維持できるように、バッテリコントローラ１２とバッテリ１３と無線部１４と内部スピーカ１７と、を備えている。また、商用電源からＡＣ１００Ｖを入力するためのＡＣ入力ケーブル１５と入力した交流電力を直流電力に変換するＡＣ／ＤＣコンバータ１２、直流電力を入力するためのＤＣ入力ケーブル１６とを備えている。ＤＣ入力ケーブル１６は一端に外部のＤＣ電源に接続するためのコネクタ１６ａが取り付けられ、他端には基地局非常電源装置１０のケース２０に固定されているコネクタ１０ｃと勘合するコネクタ１０ｂが取り付けられていて、停電などでＡＣ１００Ｖが使用できない非常時にはコネクタ１０ｂと１０ｃを勘合し接続してＤＣ電力を入力するようになっている。
【０００４】
上記構成の基地局非常電源装置１０は、ＡＣ１００Ｖ、ＤＣ１２／２４Ｖ、あるいはバッテリ１３のいずれかにより無線部１４に電力を供給して動作させることができる。従って、地震、台風その他の非常時でＡＣ１００Ｖが停電した場合でもバッテリにより動作させることができる。また、基地局非常電源装置１０は重量５ｋｇ程度であるので容易に他の場所（例えば、車両等）に移動させて、無線部１４にアンテナ１９、マイク／スピーカ１８を接続すれば移動局と通信を行うことができる。なお、基地局非常電源装置１０を基地局から他の場所に移動させて使用するときは、アンテナは携帯用の小型のアンテナを使用する。
【０００５】
しかしながら、非常時に移動局あるいは他の基地局との交信情報を周囲の人々に知らせるには、交信後にあらためて他の伝達手段を用いて周囲の人々に知らせることが行われている。また、ＤＣ入力ケーブルは通常は使用されないので基地局非常電源装置１０から外されて別の場所に保管されている。従って、非常時に保管場所から出して取り付ける手間がかかり、あるいは保管したＤＣ入力ケーブルが見つからないなどの不具合が起こることもある。
【発明の概要】
【発明が解決しようとする課題】
【０００６】
本発明は、上記の問題点を解決するためになされたもので、非常時に特に必要とされる外部スピーカを駆動するためのアンプ部とＤＣ入力ケーブルとが設けられていて異常事態に迅速に対応可能な基地局非常電源装置を提供することを目的とする。
【課題を解決するための手段】
【０００７】
本発明の基地局非常電源装置は、単一のケース内に組み込まれ、基地局と移動局の無線機との間で送受信する無線部と、電力を蓄えるためのバッテリと、該無線部に駆動電力を供給し該バッテリに充電電力を供給するＤＣバッテリコントローラと、商用電源の交流電力を直流電力に変換して該ＤＣバッテリコントローラに供給するＡＣ／ＤＣコンバータと、該商用電源から交流電力を該ＡＣ／ＤＣコンバータに入力するＡＣ入力ケーブルと、ＤＣ電源から直流電力を該ＤＣバッテリコントローラに入力するＤＣ入力ケーブルと、を備えた業務用無線の基地局非常電源装置において、前記ケース内に外部スピーカを動作させるためのアンプ部を有することを特徴とする。
【０００８】
この構成により、本発明の基地局非常電源装置は、外部スピーカを基地局非常電源装置に接続するだけで外部の多数の人に基地局と移動局、あるいは他の基地局との通話内容を同時に知らせることができる。また、基地局のマイクを使用して必要な情報を外部スピーカを通して外部の人々に連絡することができる。
【０００９】
また、本発明の基地局非常電源装置の前記ＤＣ入力ケーブルは、前記基地局非常電源装置に取り付けられ、常時前記ＤＣバッテリコントローラに電気的に接続されていることが望ましい。
【００１０】
本構成では、ＡＣ１００Ｖが使用される通常時にもＤＣ入力ケーブルはケースに接続されているので非常時にあらためて保管場所から取り出して基地局非常電源装置に取り付ける手間がいらず、必要に応じて使用できるので、緊急時に迅速に対応できる。
【発明の効果】
【００１１】
本発明の基地局非常電源装置によれば、外部スピーカを駆動するアンプ部が設けられていて移動局や他の基地局との通信内容を同時に外部スピーカを通して周囲の人々に伝達することができる。また、この基地局非常電源装置を必要な情報を連絡するためのセンタ（基地局）からの連絡手段として用いることができる。さらに、ＤＣ入力ケーブルが常時接続されていて直ちに直流電源に接続できるので、非常時に迅速に対応できる。
【図面の簡単な説明】
【００１２】
【図１】本発明による基地局非常電源装置の一実施形態を示すブロック図である。
【図２】本発明による基地局非常電源装置の一実施形態を示す外観図であり、（ａ）は前面正面図、（ｂ）は裏面正面図、（ｃ）は平面図である。
【図３】従来の基地局非常電源装置のブロック図である。
【図４】（ａ）、（ｂ）本発明が係わる業務用無線の一例を図示した説明図である。
【発明を実施するための形態】
【００１３】
以下、本発明の実施の形態について、図面に基づいて説明する。
【００１４】
図１のブロック図及び図２（ａ）、（ｂ）、（ｃ）の外観図に本発明の基地局非常電源装置の構成を示す。図に示すように、この実施形態の基地局非常電源装置１は、ＡＣ／ＤＣコンバータ１１、ＤＣバッテリコントローラ１２、バッテリ１３、無線部１４、内部スピーカ１７、ＡＣ入力ケーブル１５、ＤＣ入力ケーブル１６Ａ、アンプ部３０、とから構成されている。また、基地局非常電源装置１の電源スイッチ１２ａ、電源表示ランプ１２ｂ、バッテリ表示ランプ１２ｃ、バッテリ残量メータ１２ｄがケース２０に固定され、ＤＣバッテリコントローラ１２に接続されている。内部スピーカ１７の音量は、図２（ａ）に示すようにケース２０前面に音量調整ツマミ１７ａが設けられているが図１のブロック図では図示を省略している。
なお、図４の従来の基地局非常電源装置１０と同じ部分については、同一の符号を使用している。
【００１５】
アンプ部３０は、図１に示すようにアッテネータ（ＡＴＴ）３１、ＶＯＸ回路３２、外部スピーカ駆動アンプ３３、外部スピーカ音量調整部３３ａ、アンプ電源制御回路３４、アンプ入力制御回路３５、外部制御回路３６とから構成されている。外部スピーカ駆動アンプ３３の出力はケースに設けられた外部スピーカ接続のためのコネクタ（ジャック）３３Ｃに接続されている。また、外部制御回路３６は外部制御機器を接続するためのコネクタ３６Ｃに接続されている。
【００１６】
この実施形態の基地局非常電源装置１の動作は以下のようになる。
ＡＣ１００Ｖ、ＤＣ１２Ｖ／２４Ｖ、あるいはバッテリのいずれかの電力により基地局非常電源装置１を動作させることができる。ＡＣ１００Ｖの入力が確保されている時は入力したＡＣ１００ＶをＡＣ／ＤＣコンバータ１１でＤＣ電圧に変換し、ＤＣバッテリコントローラ１２に入力し、ＤＣバッテリコントローラ１２で電圧を＋１２Ｖとして無線部１４及びアンプ部３０に供給する。また、ＡＣ１００Ｖが停電等で供給できない時は、ＤＣ入力ケーブル１６ＡによりＤＣ１２Ｖ（またはＤＣ２４Ｖ）をＤＣバッテリコントローラ１２に入力し、＋１２Ｖとして無線部１４及びアンプ部３０に供給する。このように外部の交流電源あるいは直流電源から電力を入力しているときには、無線部１４及びアンプ部３０に電力（＋１２Ｖ）を供給すると共にバッテリ１３を充電することができる。
【００１７】
ＡＣ１００Ｖ、ＤＣ１２Ｖ／２４Ｖがともに確保できないときには、バッテリ１３の電力によりＤＣバッテリコントローラ１２から＋１２Ｖを無線部１４及びアンプ部３０に供給して非常時の基地局非常電源装置１を動作させる。本実施形態のバッテリ１３は満充電の状態から約２０時間基地局非常電源装置１を動作させることが可能である。
【００１８】
アンプ部３０では、無線部１４からの音声信号がアッテネータ３１を介して外部スピーカ駆動アンプ３３に入力し増幅され、外部スピーカ接続端子である外部スピーカジャック３３Ｃに出力している。外部スピーカジャック３３Ｃに外部スピーカ４０を接続すれば基地局と移動局との交信状況を外部スピーカ４０から伝達することができる。また、マイク／スピーカ１８から外部スピーカ４０を通して様々の連絡をすることができる。外部スピーカ４０の音量調整は、ケース２０に固定され、外部スピーカ駆動アンプ３３に接続されている外部スピーカ音量調整部３３ａのツマミを回転させて調節する（図２（ａ）参照）。ツマミを反時計方向に回転させ音量を絞りこめば外部スピーカの音を消すことも可能である。この外部スピーカ駆動アンプ３３の出力は１０Ｗである。
【００１９】
なお、上記の無線部１４からの音声信号のレベルをもとに、ＶＯＸ回路３２により外部スピーカ駆動アンプ３３への電力の供給をＯＮ／ＯＦＦするアンプ電源制御回路３４、外部スピーカ駆動アンプ３３への音声信号入力をＯＮ／ＯＦＦするアンプ入力制御回路３５、外部制御機器の動作を制御する外部制御回路３６の制御を行っている。コネクタ３６Ｃに接続され制御される外部制御機器はフラッシングライト、ブザー及び構内放送機器の外部入力ＯＮ／ＯＦＦ回路などである。
【００２０】
ＤＣ入力ケーブル１６Ａは、常時、基地局非常電源装置１に接続されてＤＣバッテリコントローラ１２に電気的につながっている。ＤＣ入力ケーブル１６Ａは通常は使用されないので基地局非常電源装置１裏面のケーブルクランプ（不図示）に巻き付けてあり、非常時に引き延ばし先端のコネクタ（シガレットプラグ）１６ａを車両等のシガライタジャックに接続するようになっている。しかし、装置内にリールを設け通常使用しないときはリールに巻き込み保管しておき、非常時にリールから引き出して使用するようにしてもよい。
【符号の説明】
【００２１】
１：基地局非常電源装置（本発明の一実施形態）
１０：基地局非常電源装置（従来例）          ３０：アンプ部
１１：ＡＣ／ＤＣコンバータ                  ３１：アッテネータ
１２：ＤＣバッテリコントローラ              ３２：ＶＯＸ回路
１３：バッテリ                              ３３：外部スピーカ駆動アンプ
１４：無線部                                ３４：アンプ電源制御回路
１５：ＡＣ入力ケーブル                      ３５：アンプ入力制御回路
１６、１６Ａ：ＤＣ入力ケーブル              ３６：外部制御回路
１７：内部スピーカ                          ４０：外部スピーカ
１８：マイク／スピーカ                      ５１：基地局
１９：アンテナ                              ５２：移動局
２０：ケース                                ６０：制御局
【図１】
0005433770.tif 000002
【図２】
0005433770.tif 000003
【図３】
0005433770.tif 000004
【図４】
0005433770.tif 000005